(57)【要約】【課題】電動圧縮機の小型化と信頼性の向上を図ること。【解決手段】容器３内に、圧縮機構部４と、固定子５ａと回転子５ｂとを対向配置したモータ５と備え、回転子５ｂは、軸方向端部にバランスウエイト５ｃ，５ｄを有し、バランスウエイト５ｃにネジ穴を設けてボルト８で固定し、また、バランスウエイト５ｄに凹部１２を設けてボルト８とナット１３で固定することにより、バランスウエイト５ｃ，５ｄからの突出部を無くすことが出来る為、電動圧縮機の小型化がはかれる。【選択図】図１
2007198335.tif 000002
【特許請求の範囲】
【請求項１】
容器内に、圧縮機構部と、固定子と回転子とを対向配置したモータとを備え、前記回転子は軸方向端部にバランスウエイトを有し、前記バランスウエイトはネジ穴を設けて、前記回転子のもう一方の軸方向端部より貫通させたボルトにより固定したことを特徴とする電動圧縮機。
【請求項２】
容器内に、圧縮機構部と、固定子と回転子とを対向配置したモータとを備え、前記回転子は軸方向端部に凹部を設けたバランスウエイトを有し、前記バランスウエイトを前記凹部より前記回転子のもう一方の軸方向端部へ貫通させたボルトとナットにより固定したことを特徴とする電動圧縮機。
【請求項３】
バランスウエイトは、黄銅材、鉄材、ステンレス材等の、アルミ材より高比重金属としたことを特徴とする請求項１又は２に記載の電動圧縮機。
【請求項４】
バランスウエイトは、回転子の端板と一体に鋳造または加工によって形成とした請求項１〜３に記載の電動圧縮機。
【請求項５】
バランスウエイトは、加工時ネジ切り用下穴を鋳造時に設けたことを特徴とする請求項１〜４に記載の電動圧縮機。
【請求項６】
バランスウエイトは、外周部を回転子に沿った円形状に形成したことを特徴とする請求項１〜５に記載の電動圧縮機。
【発明の詳細な説明】
【技術分野】
【０００１】
本発明は、空調及び冷凍装置に適用される電動圧縮機に関するものである。
【背景技術】
【０００２】
従来この種の電動圧縮機は、回転子にバランスウエイトが取り付けられており、圧縮機構部によって生じるアンバランスを矯正するようになっている（例えば、特許文献１参照）。
【０００３】
特許文献１において、バランスウエイトは、鋳造や加工等によって一体形成され、カシメピンによって回転子と固定されている。
【特許文献１】特開２０００−１１６０８０号公報
【発明の開示】
【発明が解決しようとする課題】
【０００４】
しかしながら、前記回転子の従来構成では、カシメピンのカシメ部による突出スペースが生じるので電動圧縮機が大型化するという課題を有していた。  本発明は、前記従来の課題を解決するもので、前記回転子のバランスウエイト部のカシメスペースを削減できるため小型化対応、また振動に対する信頼性も確保した電動圧縮機を提供することを目的とする。
【課題を解決するための手段】
【０００５】
前記従来の課題を解決するために、本発明の電動圧縮機は、容器内に固定子と、回転子とを対向配置したモータを備え、前記回転子は、端部に装着されたバランスウエイトのどちらか一方にネジ穴を設けることとしたものである。これによって、バランスウエイトをボルト結合によりカシメ部の突出をなくすことが出来る。
【発明の効果】
【０００６】
本発明の電動圧縮機は、信頼性を向上させ、更に小型化を図ることができる。
【発明を実施するための最良の形態】
【０００７】
第１の発明は、容器内に、圧縮機構部と、固定子と回転子とを対向配置したモータとを備え、回転子は軸方向端部にバランスウエイトを有し、前記バランスウエイトはネジ穴を設けて、前記回転子のもう一方の軸方向端部より貫通させたボルトにより固定することにより、バランスウエイトより軸方向に突出する部分がなく回転子と本体ケーシングとのクリアランスを少なくすることが出来、電動圧縮機を小型化することができる。また、バランスウエイトはボルト結合されるため強度の向上となり信頼性を向上することができる。
【０００８】
第２の発明は、容器内に、圧縮機構部と、固定子と回転子とを対向配置したモータとを備え、回転子は軸方向端部に凹部を設けたバランスウエイトを有し、バランスウエイトを凹部より回転子のもう一方の軸方向端部へ貫通させたボルトとナットにより固定することにより、バランスウエイトより軸方向に突出する部分がなく回転子と本体ケーシングとのクリアランスを少なくすることが出来、電動圧縮機を小型化することができる。また、バランスウエイトはボルト結合されるため強度の向上となり信頼性を向上することができる。
【０００９】
第３の発明は、特に、第１又は第２の発明のバランスウエイトを黄銅材、鉄材、ステンレス材等のアルミ材より高比重金属とすることにより、材料に限定されなくなりコスト削
減をすることができる。
【００１０】
第４の発明は、特に、第１から第３の発明のバランスウエイトを回転子の端板と一体に鋳造または加工によって形成とすることにより、部品点数削減となりコストを削減することができる。
【００１１】
第５の発明は、特に、第１から第４の発明のバランスウエイトで、鋳造時にネジ部の下穴を設けることにより、バランスウエイト加工時にはネジ切りのみを行うことにより加工コストを削減することができる。
【００１２】
第６の発明は、特に、第１から第５の発明のバランスウエイトで、外周部を回転子外周部に沿った形の円形状に形成したことにより、流体がバランスウエイトにより、激しく攪拌されることを抑制することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における電動圧縮機の断面図である。図１において、スクロール圧縮機１の胴部の周りにある取付け脚２によって横向きに設置される横型のスクロール圧縮機の場合の１つの例を示しており、スクロール圧縮機１はその本体ケーシング３内に圧縮機構部４およびこれを駆動するモータ５を内蔵し、圧縮機構部４を含む各摺動部の潤滑に供する液を貯留する貯液部６を備え、モータ５を図示しないモータ駆動回路部によって駆動するようにしている。取り扱う冷媒はガス冷媒であり、各摺動部の潤滑や圧縮機構部４の摺動部のシールに供する液としては潤滑油７で、潤滑油７は冷媒に対して相溶性の性質を有するものである。
【００１５】
電動圧縮機１の圧縮機構部４は、駆動軸１１を介して連結されたモータ５によって駆動される。モータ５は固定子５ａを本体ケーシング３の内周に焼き嵌めなどして固定し、駆動軸１１の途中まわりに固定した回転子５ｂとによりなり、この固定子５ａと回転子５ｂはエアギャップを介して対向配置されている。回転子５ｂにはバランスウエイト５ｃ，５ｄが取り付けられており、圧縮機構部４の回転によって生じるアンバランスを矯正するようになっている。
【００１６】
回転子５ｂは、その内部を軸方向に貫通する複数のボルト８によって、両端部に端板９を固定し、同時にバランスウエイト５ｃとバランスウエイト５ｄを端板上に固定している。ここで、バランスウエイト５ｃは、ボルト８に対応したネジを切ったネジ穴１０として、ナットの役目を果たしている。また、バランスウエイト５ｄは、ボルト８の頭部８ａが隠れる大きさの凹部１２を形成し、もう一方の軸方向端部でナット１３により固定している。なお、バランスウエイト５ｃ，５ｄは、黄銅材、鉄材、ステンレス材等の高比重金属を鋳造または加工によって形成されている。
【００１７】
以上のように、本実施の形態１においては本体ケーシング３内に固定子５ａと、回転子５ｂとを対向配置したモータ５を備え、回転子５ｂは、端部に装着されたバランスウエイト５ｃにネジ穴１０を設け、また、バランスウエイト５ｄに凹部１２を設けることにより、回転子５ｂと本体ケーシング３とののクリアランスを少なくすることが出来、電動圧縮機１を小型化することができる。
【００１８】
また、バランスウエイト５ｃ，５ｄを黄銅材、鉄材、ステンレス材等のアルミ材より高比重金属とすることにより、必要な重量が確保し易く、また、材料に限定されなくなりコ
スト削減をすることもできる。また、本実施の形態のバランスウエイト５ｃ，５ｄを回転子５ｂの端板９と一体に鋳造または加工によって形成とすることにより、部品点数削減となりコストを削減することができる。さらに、バランスウエイト５ｃで、鋳造時にネジ部の下穴を設けることにより、バランスウエイト５ｃの加工時にはネジ切りのみだけを行えばよく、加工工数削減となり、コストを削減することが出来る。
【００１９】
（実施の形態２）
図２は、本発明の第２の実施の形態における電動圧縮機の回転子の斜視図である。図２において、バランスウエイト５ｅは、回転子５ｂの外周上に沿って円形状に形成したものである。この円形状バランスウエイト５ｅにより、貯液部６に溜まったガス冷媒や潤滑油７が激しく攪拌されることを抑制することができる。
【産業上の利用可能性】
【００２０】
以上のように、本発明にかかる電動圧縮機は、バランスウエイトと固定子結合部の信頼性を向上させ、更に電動圧縮機の小型化が可能となるので、容器内に固定子と回転子とを対向配置したモータを備えた機械等の用途にも適用できる。
【図面の簡単な説明】
【００２１】
【図１】本発明の実施の形態１における電動圧縮機の断面図
【図２】本発明の実施の形態２における電動圧縮機の回転子の斜視図
【符号の説明】
【００２２】
１  スクロール圧縮機
２  取付け脚
３  本体ケーシング
４  圧縮機構部
５  モータ
５ａ  固定子
５ｂ  回転子
５ｃ，５ｄ  バランスウエイト
５ｅ  円形状バランスウエイト
６  貯液部
７  潤滑油
８  ボルト
９  端板
１０  ネジ穴
１１  駆動軸
１２  凹部
１３  ナット
【図１】
2007198335.tif 000003
【図２】
2007198335.tif 000004